(57)【要約】【課題】  良好な施工性を確保しつつ良好な外観を確保できる階段の構造を提供する。【解決手段】  建物の上階と下階との間に一対の桁板１を並べて配置し、この一対の桁板１の間に踏板２を段々に架設した階段である。最下段の踏板２を差し込んで支持する溝部３を桁板１の斜め上方に面する上傾斜面１ａから略水平に切り込むように形成する。溝部３の踏板載置面４における垂直上方に開けた部位に挿通孔５を桁板１の下端面近傍にまで至るように穿孔する。挿通孔５に挿入したビスなどの固定具６を桁板１の下端部を挿通させて下階の建物床部７に打入する。溝部３に差し込んだ踏板２によって挿通孔５の上方開口５ａを塞ぐ。【選択図】        図１
2005232924.tif 000002
【特許請求の範囲】
【請求項１】
建物の上階と下階との間に一対の桁板を並べて配置し、この一対の桁板の間に踏板を段々に架設した階段であって、最下段の踏板を差し込んで支持する溝部を桁板の斜め上方に面する上傾斜面から略水平に切り込むように形成し、溝部の踏板載置面における垂直上方に開けた部位に貫通孔を桁板の下端面近傍にまで至るように穿孔し、貫通孔に挿入したビスなどの固定具を桁板の下端部を挿通させて下階の建物床部に打入し、溝部に差し込んだ踏板によって貫通孔の上方開口を塞いだことを特徴とする階段の構造。
【請求項２】
最上段の踏板を差し込んで支持する溝部を桁板に水平に形成すると共に最上段の踏板をこの溝部に着脱自在に取付け、一対の桁板の上端部の間に取付板を連結し、この取付板を上階の建物床部の端面に添わせると共にビスなどの固定具を取付板を挿通させて建物床部の端面に打入し、この固定具の前方位置に化粧板を被せて配置したことを特徴とする請求項１記載の階段の構造。
【発明の詳細な説明】
【技術分野】
【０００１】
本発明は、桁板全体が外観に露出するオープン様式の階段の構造に関し、詳しくは桁板の建物床部への取付構造に関するものである。
【背景技術】
【０００２】
従来から、階段としては図４のように、建物の上階と下階との間に一対の桁板１を並べて配置し、この一対の桁板１に踏板２を段々に架設して構成される、蹴込板が無く桁板１の全体が外観に露出するオープン様式の階段が知られている（たとえば、特許文献１参照）。このオープン様式の階段では、桁板１の建物床部２３への取付部分も外観に露出することから、この桁板１の建物床部２３への取り付けが仕舞い良く行われないと階段の外観が悪化するといった問題がある。たとえば、図４の例にあって、桁板１の建物床部２３への取り付けは、桁板１の上下端にそれぞれ形成した水平板部２２を建物床部２３に添わせて配置し、水平板部２２を通して建物床部２３に固定ピン２４を打入させることで行われているが、固定ピン２４が階段の外観に現れてしまっており、収まりの悪い外観が現出されてしまっている。
【特許文献１】実用新案登録第３０３８９９５号公報
【発明の開示】
【発明が解決しようとする課題】
【０００３】
本発明は上記の従来の問題点に鑑みて発明したものであって、良好な施工性を確保しつつ良好な外観を確保できる階段の構造を提供することを課題とするものである。
【課題を解決するための手段】
【０００４】
上記課題を解決するために本発明の請求項１に係る階段の構造は、建物の上階と下階との間に一対の桁板１を並べて配置し、この一対の桁板１の間に踏板２を段々に架設した階段であって、最下段の踏板２を差し込んで支持する溝部３を桁板１の斜め上方に面する上傾斜面１ａから略水平に切り込むように形成し、溝部３の踏板載置面４における垂直上方に開けた部位に挿通孔５を桁板１の下端面近傍にまで至るように穿孔し、挿通孔５に挿入したビスなどの固定具６を桁板１の下端部を挿通させて下階の建物床部７に打入し、溝部３に差し込んだ踏板２によって挿通孔５の上方開口５ａを塞いだことを特徴とする。
【０００５】
これによると、下階の建物床部７への桁板１の取付けは、最下段の踏板２を差し込むための溝部３から穿孔した挿通孔５にビスなどの固定具６を挿入し、この固定具６を桁板１の下端部位に挿通させて下階の建物床部７に打入し、固定具６を建物床部７に打入した後に溝部３に踏板２を差し込むことで挿通孔５の上方開口５ａが塞ぐようにして行われるので、下階の建物床部７への桁板１の取付部分（固定具の打入にかかる構造）を外観に露出させないようにできて収まりの良い良好な階段の外観を現出できるのであり、また、固定具６の挿通孔５への挿入及び建物床部ヘの打入作業は、固定具６や固定具６を廻すドライバなどの工具を溝部３の踏板載置面４における垂直上方に開けた部位から挿通孔５に向けて略垂直に挿入させることができることから、下階の建物床部７への桁板１の取付施工の良好な施工性を確保できる。
【０００６】
また、請求項２に係る階段の構造は、請求項１において、最上段の踏板２を差し込んで支持する溝部３を桁板１に水平に形成すると共に最上段の踏板２をこの溝部３に着脱自在に取付け、一対の桁板１の上端部の間に取付板８を連結し、この取付板８を上階の建物床部９の端面に添わせると共にビスなどの固定具１０を取付板８を挿通させて建物床部９の端面に打入し、この固定具１０の前方位置に化粧板１１を被せて配置したことを特徴とする。
【０００７】
これによると、上階の建物床部９への桁板１の取付けは、一対の桁板１の上端部の間に連結した取付板８を上階の建物床部９の端面に添わせて配置し、ビスなどの固定具１０を取付板８を挿通させて建物床部９の端面に打入し、この固定具１０の前方位置に化粧板１１を被せて配置して行われるので、この化粧板１１によって桁板１の建物床部への取付部分を外観に露出させないようにできて収まりの良い良好な階段の外観を現出できるのであり、また、固定具１０の建物床部９の端面への打入作業は、最上段の踏板２を溝部３から外した状態で行うことができ、つまり最上段の踏板２によって固定具１０の建物床部９の端面への打入作業が阻害されるのを回避することができ、上階の建物床部９への桁板１の取付施工の良好な施工性を確保できる。
【発明の効果】
【０００８】
本発明の請求項１記載の階段の構造では、最下段の踏板を差し込むための溝部から穿孔した挿通孔にビスなどの固定具を挿入し、この固定具を桁板の下端部位に挿通させて下階の建物床部に打入し、固定具を建物床部に打入した後に溝部に踏板を差し込むことで挿通孔の上方開口が塞ぐようにして下階の建物床部への桁板の取付けを行うことで、下階の建物床部への桁板の取付部分（固定具の打入にかかる構造）を外観に露出させないようにできて収まりの良い良好な階段の外観を現出できるのであり、また、固定具や固定具を廻すドライバなどの工具を溝部の踏板載置面における垂直上方に開けた部位から挿通孔に向けて略垂直に挿入させることができるから、下階の建物床部への桁板の取付施工の良好な施工性を確保できるといった効果を有する。
【０００９】
また、本発明の請求項２記載の階段の構造では、上記請求項１の効果に加え、一対の桁板の上端部の間に連結した取付板を上階の建物床部の端面に添わせて配置し、ビスなどの固定具を取付板を挿通させて建物床部の端面に打入し、この固定具の前方位置に化粧板を被せて配置するようにして上階の建物床部への桁板の取付けを行うことで、化粧板によって桁板の建物床部への取付部分を外観に露出させないようにできて収まりの良い良好な階段の外観を現出できるのであり、また、この固定具の建物床部の端面への打入作業を最上段の踏板を溝部から外した状態で行うことで、最上段の踏板によって固定具の建物床部の端面への打入作業が阻害されるのを回避することができ、上階の建物床部への桁板の取付施工の良好な施工性を確保できるといった効果を有する。
【発明を実施するための最良の形態】
【００１０】
本例の階段は、図１〜３のように、建物の上階と下階との間に一対の桁板１を並べて配置し、この一対の桁板１の間に踏板２を段々に架設して形成された階段であって、蹴込板が無く且つ桁板１の全体が露出されたオープン様式の階段である。以下の説明では、階段における上階から下階に降りる方向を前方とし、階段における下階から上階に昇る方向を後方として説明をしていく。踏板２は左右に長く前後に短い矩形状の水平板材であり、その後縁には前方に向けて切り込んだ一対のスリット１２が形成されている。このスリット１２は踏板２の上下に貫通しており左右に対向する一対の垂直端面１２ａを有している。なお、本例ではこの一対のスリット１２は踏板２の左右対象位置に形成されている。桁板１は後斜め上方に同幅で伸びる鉛直板材であり、一定の高さ毎に桁板１の斜め上方に面する上傾斜面１ａから略水平後方に切り込んだ溝部３が形成されている。ここで、上記同幅とは、桁板１の斜め上方に面する上傾斜面１ａと斜め下方に面する下傾斜面１ｂとを平行にすることで形成されたものである。この溝部３は桁板１の左右に貫通しており上下に対向する一対の水平端面３ａを有している。更に言うと、溝部３の上下の隙間寸法は踏板２の上下の厚み寸法と略同寸法にされている。並設した一対の桁板１への踏板２の架設は、一対の桁板１の各溝部３に踏板２の一対のスリット１２を係合させ、溝部３の上方に面する水平端面３ａである踏板載置面４に踏板２を載置させるようにして行われている。つまり、一対の桁板１の各溝部３への踏板２の一対のスリット１２の係合によると、踏板２のスリット１２の一対の垂直端面１２ａが桁板１の溝部３の後方部位を左右に挟持すると共に桁板１の溝部３の一対の水平端面３ａが踏板２のスリット１２の前方部位を上下に挟持するのであって、桁板１と踏板２とは上下左右にずれないように係合されている。この桁板１と踏板２との取付は施工現場にて行ってもよいが、本例では、最下段及び最上段の踏板２を除いた複数枚の踏板２が工場出荷時には桁板１に取付けられた階段ユニットが用いられている。つまり、この階段ユニットにあっては、最下段及び最上段の踏板２は桁板１に対して着脱自在に設けられており、その他の踏板２はあらかじめ桁板１に一体に取付けられているのである。
【００１１】
ところで、蹴込板が無く且つ桁板１の全体が露出された上記オープン階段にあっては、階段を構成する略全ての部位が外観に露出するのであるから、良好な階段の外観を現出するには桁板１の建物床部への取付部分なども収まり良い構造にする必要がある。本例は、良好な階段の外観を確保するべく桁板１の建物床部への取付部分の構造を収まり良く施したものであって、以下に詳述する。
【００１２】
下階の建物床部７への桁板１の取付構造は、図１，２のように、桁板１の水平な下端面１ｃを建物床部７に載置し、最下段の踏板２を差し込んで支持する溝部３の踏板載置面４から桁板１の下端面近傍にまで至るような挿通孔５を穿孔し、この挿通孔５にビスなどの固定具６を挿入し、この固定具６を桁板１の下端部を挿通させて下階の建物床部７に打入し、この溝部３に最下段の踏板２を取付けて挿通孔５の踏板載置面４にある上方開口５ａを塞いだことで構成されている。この構造によると、下階の建物床部７への桁板１の取付部分（固定具６の打入にかかる構造）を外観に露出させないようにできるのであり、収まりの良い良好な階段の外観が現出されるようになっている。更に言うと、挿通孔５は、溝部３の踏板載置面４における垂直上方に開けた部位から垂直下方に向けて穿孔されており、つまり、固定具６や固定具６を廻すドライバなどの工具（図示せず）を溝部３の踏板載置面４における垂直上方に開けた部位から挿通孔５に向けて略垂直に挿入させることが可能にされており、下階の建物床部７への桁板１の取付施工の良好な施工性も確保されている。
【００１３】
上階の建物床部９への桁板１の取付構造は、図３のように、一対の桁板１の上端部の間に取付板８を連結し、この取付板８を上階の建物床部９の端面に添わせると共にビスなどの固定具１０を取付板８を挿通させて建物床部９の端面に打入し、この固定具１０の前方位置に化粧板１１を被せて配置したことで構成されている。詳しくは、桁板１の上端部では上傾斜面１ａの上端と下傾斜面１ｂの上端との間に後方に面する垂直面１ｄが形成され、一対の桁板１の垂直面１ｄにおける上端部同士及び下端部同士には水平桟材１３がそれぞれ架設され、この上下一対の水平桟材１３に鉛直板状の取付板８が後方から貼着されることで、取付板８が一対の桁板１の上端部の間に連結されている。ここで、本例の上階の建物床部９は周枠１４の上面に面材１５を貼着して形成された床パネル１６で構成されており、桁板１を建物床部９に仮置きした後に本固定を行わせるといった良好な施工性が確保されている。つまり、建物床部９の端面を構成する床パネル１６の周枠１４の前面には断面Ｌ字状の受材１７がボルトなどの締結具１８によって配設されており、取付板８を建物床部９の端面の前方位置に添わせるように受材１７に桁板１の上端部を載置して仮置きし、この状態でビスなどの固定具１０を取付板８を挿通させて建物床部９の端面に打入して本固定を行っている。ところで、この固定具１０の建物床部９の端面への打入作業は、階段の前方からの施工作業であるが、最上段の踏板２の桁板１への取付作業の前に行われるのであり、つまり最上段の踏板２によって固定具１０の建物床部９の端面への打入作業が阻害されるのを回避できるようにされており、上階の建物床部９への桁板１の取付施工の良好な施工性が確保されている。そして、この固定具１０の建物床部９の端面への打入作業の後に、上下一対の水平桟材１３に鉛直板状の化粧板１１が前方から貼着される。なお、上方の水平桟材１３には上階の建物床部９の階段入口に配置される框体１９が載置固定されており、また上階の建物床部９の下方には下階の天井を構成する天井材２１が配置されているが、化粧板１１はその上下で上記框体１９と天井材２１とを連結させている。したがって、この化粧板１１によると、桁板１の上階の建物床部９への取付部分（固定具１０の打入にかかる構造）を外観に露出させないようにできるのであり、収まりの良い良好な階段の外観が現出されるようになっている。なお、化粧板１１は一対の桁板１の間における建物床部９の端面のみならず、建物の階段部分に露出する建物床部９の端面における他の部位にも配設するのが、階段の全体外観を良好にできて好ましく、また、床パネル１６の上面に框体１９と面一で連続するような仕上げ面材２０を敷設することも好ましいのである。
【００１４】
ここで、本例の階段にあっては、上述した階段ユニットを用いているので、施工現場で行う階段設置にかかる施工作業を上階及び下階の建物床部７，９への桁板１の取付作業のみにできたものであり、階段の施工作業の簡易化が図られているのであるが、無論、桁板１と踏板２とがユニット化されていなくて施工現場にて桁板１と全ての踏板２との取付施工を行うものであっても、上記図１，２や図３の構造を採用して階段に良好な外観を備えることができる。つまり、最下段と最上段の踏板２が施工現場で桁板１に取付けるものであれば上記図１，２や図３の構造を採用できるのであり、階段に良好な外観を備えることができるのである。また、上階と下階を結ぶ階段の途中に踊り場を設けた階段であっても、下階と踊り場とを結ぶ階段における踊り場への桁板１の取付構造には上記図３の構造を採用し、踊り場と上階とを結ぶ階段における踊り場への桁板１の取付構造には上記図１，２の構造を採用することで、階段に良好な外観を現出させることができるのは言うまでもない。また、本例では階段の構成部材が外観に露出されるオープン様式の階段を例に説明したが、図１，２や図３の構造は蹴込板を有したり桁板１の全体が外観に露出されない通常様式の階段であっても適用できるのは言うまでもない。
【図面の簡単な説明】
【００１５】
【図１】本発明の実施の形態の例の階段における要部の分解斜視図である。
【図２】（ａ）は要部の側断面図であり、（ｂ）は（ａ）の平面図である。
【図３】同上の階段における要部の概略側断面図である。
【図４】従来技術の例の斜視図である。
【符号の説明】
【００１６】
１  桁板
１ａ  上傾斜面
２  踏板
３  溝部
４  踏板載置面
５  挿通孔
５ａ  上方開口
６  固定具
７  下階の建物床部
８  取付板
９  上階の建物床部
１０  固定具
１１  化粧板
【図１】
2005232924.tif 000003
【図２】
2005232924.tif 000004
【図３】
2005232924.tif 000005
【図４】
2005232924.tif 000006